(57)【要約】 【課題】  同一の絶縁ハウジング（１０）に密集して取り付けられるネジターミナル（２０）であっても、その摘み（２２）を容易に回転操作することができる回転補助具を提供する。【解決手段】  摘み（２２）の頂部に被装される筒状の内側面（３Ａ）に、摘み（２２）の外側面に係合する係合部（４Ａ）を形成し、係合部（４Ａ）の上方であって、筒状の外側面に操作部（５）を形成する。周囲の摘み（２２）の影響を受けずに、その上方で操作部（５）を回転操作し、摘み（２２）を同方向へ回転させることができる。【選択図】  図３
2005038775.tif 000002
【特許請求の範囲】
【請求項１】
同一の絶縁ハウジングに互いに隣接して取り付けられた複数のネジターミナル（２０、３０）の各摘み（２２、３１）を回転させる回転補助具であって、
回転補助具は、摘み（２２、３１）の頂部に被装される筒状に形成され、
筒状の内側面（３Ａ、３Ｂ）に形成され、摘み（２２、３１）の外側面に係合する係合部（４Ａ、４Ｂ、４Ｃ）と、
係合部（４Ａ、４Ｂ、４Ｃ）の上方で、筒状の外側面に形成される操作部（５）とを備え、
摘み（２２、３１）の上方で、摘み（２２、３１）の回転軸回りに操作部（５）を回転させることにより、摘み（２２、３１）を回転させることを特徴とする回転補助具。
【請求項２】
操作部（５）の外径が、係合部（４Ａ、４Ｂ、４Ｃ）が係合する摘み（２２、３１）の外側面の外径に略等しいことを特徴とする請求項１記載の回転補助具。
【請求項３】
筒状の内側面（３Ａ、３Ｂ）に、二種類の外径の摘み（２２、３１）の外側面にそれぞれ対応して係合する係合部（４Ａ、４Ｂ、４Ｃ）が形成されていることを特徴とする請求項１又は２のいずれか１項に記載の回転補助具。
【請求項４】
筒状の内側面（３Ａ、３Ｂ）に、摘みカバー（３２）の外側面と、摘みカバー（３２）を固着自在な摘み（３１）の外側面とにそれぞれ対応して係合する係合部（４Ｂ、４Ｃ）が形成されていることを特徴とする請求項１又は２のいずれか１項に記載の回転補助具。
【発明の詳細な説明】
【技術分野】
【０００１】
本発明は、摘みを回転させることにより、固定ターミナルと摘みとの間でリード線を挟圧し、リード線を接続するネジターミナルの摘みを回転させる回転補助具に関するものである。
【背景技術】
【０００２】
従来、固定ターミナルのネジ孔と摘みのネジを螺合し、摘みを回転することにより、固定ターミナルと摘みとの間でリード線を挟圧し、リード線の芯線を固定ターミナルへ接続するネジターミナルが知られている（例えば、特許文献１）。このネジターミナルは、スピーカや他のオーディオ機器の背面に取り付けられ、他の機器との電気接続に用いられるが、最近のオーディオ機器では、２チャンネル以外にも、４チャンネル、６チャンネルなど多数の信号線やアース線を機器間に接続するものであり、この為に、図７及び図８に示すように、共通する絶縁ハウジングとなる絶縁基板１０上に、多数のネジターミナル２０がマトリックス状に取り付けられている。
【０００３】
このネジターミナル２０を、図８を用いて説明すると、ネジターミナル２０は、絶縁基板１０上に立設された筒状ガイド１１内に、絶縁基板１０の上面に配設され、その脚部が絶縁基板１０下方に導出される固定ターミナル２１と、筒状ガイド１１内に回転自在に収容される摘み２２を備えている。
【０００４】
筒状ガイド１１の上方に突出する摘み２２の部分は、円錐台状で、その表面（外側面）は下方に向かって外方に傾斜する傾斜面となり、表面に沿って摘み２２の滑り止めとなるリブ２２ａが等角度間隔で上下方向に形成されている。また、摘み２２の底面には、雄ねじ２３が一体に垂設された可動端子が固着されている。
【０００５】
筒状ガイド１１の中心となる固定ターミナル２１の部位には、雄ねじ２３と螺合する雌ねじ２４が螺刻され、また、その下方の絶縁基板１０は、雌ねじ２４に螺合する雄ねじ２３を挿通させる挿通孔となっている。
【０００６】
筒状ガイド１１には、周囲の１箇所に窓孔１２が形成され、窓孔１２を通して、皮むき処理したリード線の芯線を筒状ガイド１１内に挿入するようになっている。
【０００７】
このように構成されたネジターミナル２０にリード線を接続する場合には、リード線の芯線を窓孔１２を通して、固定ターミナル２１と摘み２２の底面間に挿入する。そして、摘み２２を時計方向に回転し、固定ターミナル２１と摘み２２の底面間でリード線の芯線を挟圧し、固定ターミナル２１へ電気接続する。
【０００８】
また、接続しているリード線を抜き取る場合には、摘み２２を反時計回りに回転し、固定ターミナル２１と摘み２２の底面間を引き離し、リード線を引き抜く。
【０００９】
また、他のネジターミナルとして、摘み３１に摘みカバーが嵌合固着されたネジターミナル３０が知られている（例えば、特許文献１）。
【００１０】
このネジターミナル３０を図９で説明すると、摘みカバー３２が、摘み３１の頂部に嵌合し固着する形状に形成されている。摘み３１の外側面には、等角度間隔で係止段部３３が形成され、この係止段部３３に摘みカバー３２の係止爪３４を係止することにより、摘みカバー３２を摘み３１に固着するとともに、軸回りに一体に回転させるようにしている。
【００１１】
このネジターミナル３０では、同一の絶縁基板１０に取り付けられる複数のネジターミナル３０の摘み３１を同一材料による同一色で成形しても、頂部に被着する摘みカバー３２を用途に応じて色分けし、異なるネジターミナル３０とすることができる。
【００１２】
【特許文献１】特許第３３４２６７９号公報（第３欄乃至第５欄、図１、図７）
【発明の開示】
【発明が解決しようとする課題】
【００１３】
これらのネジターミナル２０、３０は、上述したように共通する絶縁基板に多数取り付けられるものであるが、可能な限り機器の狭い取り付けスペースに取り付けることが望まれるため、取り付け密度が高く、隣り合う摘み２２、３１との隙間が非常に狭いもいものとなっている。
【００１４】
また、この種のネジターミナル２０、３０では、摘み２２、３１の外径が大きいほど高級感があるものとされているので、摘み２２、３１が大型化し、隣り合う摘み２２、３１の隙間が狭くなる傾向がより強くなっている。
【００１５】
その結果、リード線を接続、若しくは引き抜く為に、摘み２２、３１を回転させようとすると、隣り合う摘み２２、３１が障害となって摘み２２、３１を掴むことができず、極めて操作しにくいという問題があった。
【００１６】
特に、前述したようにこの種のネジターミナルは、接続作業を行う者の目に見えにくいアンプ等の機器の背面側に取り付けられているので、リード線の接続若しくは引き抜きの為の摘みの回転操作は、困難を極めていた。
【００１７】
本発明の目的は、同一の絶縁ハウジングに密集して取り付けられるネジターミナルであっても、その摘みを容易に回転操作することができる回転補助具を提供することにある。
【課題を解決するための手段】
【００１８】
上述の目的を達成するため、請求項１の回転補助具は、同一の絶縁ハウジングに互いに隣接して取り付けられた複数のネジターミナルの各摘みを回転させる回転補助具であって、回転補助具は、摘みの頂部に被装される筒状に形成され、筒状の内側面に形成され、摘みの外側面に係合する係合部と、係合部の上方で、筒状の外側面に形成される操作部とを備え、
摘みの上方で、摘みの回転軸回りに操作部を回転させることにより、摘みを回転させることを特徴とする。
【００１９】
摘みの頂部に回転補助具を被装すると、回転補助具の内側面に形成された係合部が摘みの外側面に係合し、操作部を回転させることにより摘みが回転する。
【００２０】
操作部は、係合部の上方で筒状の外側面に形成されるので、周囲のネジターミナルの摘みより高い位置で、摘みを容易に回転操作することができる。
【００２１】
また、請求項２の回転補助具は、操作部の外径が、係合部が係合する摘みの外側面の外径に略等しいことを特徴とする。
【００２２】
操作部の外径が、摘みの外径に略等しいので、操作部を回転操作することにより摘みに伝達されるトルクは、摘みを直接回転操作することにより発生するトルクに略等しく、異常なトルクを発生させて締めすぎによるネジの破損や、逆にトルク不足による接続不良が生じない。
【００２３】
また、請求項３の回転補助具は、筒状の内側面に、二種類の外径の摘みの外側面にそれぞれ対応して係合する係合部が形成されていることを特徴とする。
【００２４】
複数のネジターミナルに異なる二種類の外径の摘みが混在していても、同一の回転補助具をそれぞれの外側面に係合させて、回転させることができる。
【００２５】
また、請求項４の回転補助具は、筒状の内側面に、摘みカバーの外側面と、摘みカバーを固着自在な摘みの外側面とにそれぞれ対応して係合する係合部が形成されていることを特徴とする。
【００２６】
摘みに摘みカバーが固着されているかいないかにかかわらず、いずれの状態であっても、同一の回転補助具がそれぞれの外側面に係合し、摘みを回転させることができる。
【発明の効果】
【００２７】
請求項１の発明によれば、同一の絶縁ハウジングに密集して取り付けられるネジターミナルであっても、その摘みを容易に回転操作することができる。
【００２８】
また、請求項２の発明によれば、摘みに異常なトルクを発生させず、ネジの破損や、逆にトルク不足による接続不良が生じない。
【００２９】
また、請求項３の発明によれば、同一の回転補助具を用いて外径の異なる複数の摘みを回転させることができる。
【００３０】
また、請求項４の発明によれば、摘みに摘みカバーが固着されているかいないかにかかわらず、いずれの状態であっても、同一の回転補助具で摘みを回転させることができる。
【発明を実施するための最良の形態】
【００３１】
以下、図１乃至図６の図面を参照して本発明の一実施形態に係る回転補助具１を説明する。尚、本実施の形態に係る回転補助具１は、上記従来例で説明したネジターミナル２０、３０の各摘み２２、３１若しくは摘みカバー３２付き摘み３１を回転させる目的で用いることから、これらのネジターミナル２０、３０と絶縁ハウジング１０に関する構成については、同一の番号を付してその説明を省略する。
【００３２】
図１に示すように、本実施の形態に係る回転補助具１は、ＡＢＳ等の絶縁性合成樹脂により、外周が８角形で平面が覆われ底面が開口する形状に成形された筒状本体２で構成される。
【００３３】
底面が開口する筒状本体２の内側面は、図１（ｄ）に示すように、内側段部２ａにより画された下部内側面３Ａと上部内側面３Ｂとなっていて、その内径は下部内側面３Ａが上部内側面３Ｂより長くなっている。
【００３４】
下部内側面３Ａは、回転補助具１を、ネジターミナル２０の摘み２２若しくはネジターミナル３０の摘みカバー３２に被装する際に、これらの外側面に対向する面となるもので、８角形である摘み２２と摘みカバー３２の外周形状に合わせて、内周が８角形に形成されている。８角、すなわち４５度間隔で分割された各下部内側面３Ａの下方には、底面まで連続する係合凹部４Ａが、またその上方に、内側段部２ａに達する下部係合突起４Ｂがそれぞれ上下方向に形成されている（図１（ｂ）（ｃ）（ｄ）参照）。
【００３５】
各係合凹部４Ａは、摘み２２の表面に沿って対応部位で下方に向かって外方に傾斜するリブ２２ａと係合するもので、係合凹部４Ａでの下部内側面３Ａの内径は、リブ２２ａ下端での摘み２２の外径より短く、リブ２２ａ上端での摘み２２の外径より長いものとなっている。
【００３６】
従って、回転補助具１の係合凹部４Ａを対応するリブ２２ａに合わせて、摘み２２の頂部に被装すると、図２（ａ）に示すように、係合凹部４Ａの下端にリブ２２ａの中間が圧入した状態で、回転補助具１と摘み２２が位置決めされるとともに、係合凹部４Ａとリブ２２ａが回転軸回りで係合する。
【００３７】
係合凹部４Ａを除く下部内側面３Ａの内径は、摘みカバー３２に遊嵌するように、摘みカバー３２の外径よりわずかに大径としている。また、その上部内側面３Ｂの内径は、摘みカバー３２の外径より小径としているので、回転補助具１を摘みカバー３２の頂部に被装すると、図２（ｂ）に示すように、摘みカバー３２の頂部が内側段部２ａに当接し、回転補助具１の下方への移動が規制される。
【００３８】
下部内側面３Ｂの内周形状は、摘みカバー３２の外周形状と相似形でわずかに大きい８角形となっているので、内側面３Ｂ自体が摘みカバー３２の外側面に回転軸回りで係合するが、下部係合突起４Ｂが突設されることにより、８角形である摘みカバー３２の外側面に確実に係合し、回転補助具１の回転を摘みカバー３２へ伝達させることができる。
【００３９】
上部内側面３Ｂは、摘みカバー３２を固着しないネジターミナル３０の摘み３１へ回転補助具１を被装する際に、摘み３１の上部外側面３１ａに対向する面となるものである。摘み３１の上部外側面３１ａは、図２（ｃ）に示すように、下方から上方に向かって外径が縮径する８角錐状に形成され、同様に８角形の内周とした上部内側面３Ｂの内径は、上部外側面３１ａの上部の外径よりわずかに大径で、下部の外径より小径となっている。従って、ネジターミナル３０の摘み３１へ回転補助具１を被装すると、図２（ｃ）に示すように、摘み３１の上部外側面３１ａの中間が上部内側面３Ｂに当接し、回転補助具１の下方への移動が規制される。
【００４０】
上部内側面３Ｂの８角形とした内周の各辺の略中央にも、８角形である摘み３１の上部外側面３１ａに確実に係合し、回転補助具１の回転を摘みカバー３２へ伝達させる上部係合突起４Ｃが上下方向に突設されている（図１（ｃ）（ｄ）参照）。
【００４１】
筒状本体２の外側面は、８角形の内周形状の内側面と略相似形状の８角形の外周形状となるように形成され、これにより各部の肉厚が略均一で、全体でほぼ均一な強度が得られる。内側段部２ａが形成された外側面は、外側段部２ｂとなり、外側段部２ｂにより外径が小径となった上方の外側面が、回転補助具１を回転操作する操作部５となっている。操作部５の外周も８角形となるので、回転操作の際の滑り止めとして作用する。
【００４２】
操作部５の外径は、摘み２２や摘みカバー３２の外径に略等しく、これにより操作部５を回転操作することにより摘み２２や摘みカバー３２に伝達されるトルクは、摘み２２や摘みカバー３２を直接回転操作することにより発生するトルクに略等しいものとなる。
【００４３】
図１（ａ）に示すように、筒状本体２の平面中央とその両側には、円形の貫通孔６ａと半円形の切り欠き６ｂ、６ｂが穿設されている。これらの貫通孔６ａと半円形の切り欠き６ｂ、６ｂは、ストラップ等の紐類を挿通させ、ネジターミナルが取り付けられた機器の近傍に、回転補助具１を結びつけ保管しておく為のものである。
【００４４】
図３と図４は、前列に４個、後列に２個のネジターミナル２０が、共通する絶縁基板１０にマトリックス状に隣接して取り付けられたうちの任意の１個のネジターミナル２０について、上述構成の回転補助具１を用いて摘み２２を回転させる状態を示すもので、摘み２２を回転させるためにその頂部へ上方から回転補助具１を被装させたものである。
【００４５】
これにより、回転補助具１の下部内側面３Ａに凹設された係合凹部４Ａは、摘み２２のリブ２２ａに係合し、その上方の操作部５を回転操作し、摘み２２を同方向に回転させることができる。図３に示すように、操作部５は、周囲のネジターミナル２０の摘み２２より高い位置にあるので、干渉することなく回転操作を行うことができる。
【００４６】
図５は、同じ回転補助具１を用いて、摘み３１に摘みカバー３２が固着されたネジターミナル３０に対し、リード線を着脱しようとするネジターミナル３０の摘み３１を回転させる状態を示している。
【００４７】
摘みカバー３２が固着されたネジターミナル３０の摘み３１を回転させる場合には、摘みカバー３２の頂部に回転補助具１を被装する。これにより、摘みカバー３２の頂部が回転補助具１内の内側段部２ａに当接し、摘みカバー３２の外側面と下部内側面３Ａが対向する。回転補助具１を回転操作すると、下部内側面３Ａ若しくは下部内側面３Ａの下部係合突起４Ｂが摘みカバー３２の外側面に係合するので、摘みカバー３２を介して摘み３１が同方向に回転する。
【００４８】
これにより、周囲のネジターミナ３０の操作摘み３１や摘みカバー３２が操作のじゃまにならずに、その上方で回転補助具１を回転操作して摘み３１を回転させることができる。
【００４９】
このように、ネジターミナル３０の摘みカバー３２と、ネジターミナル２０の摘み２２の外径は異なるが、下部内側面３Ａに内径を異ならせた係合凹部４Ａと下部係合突起４Ｂ（若しくは下部内側面３Ａ）を形成することにより、同一の回転補助具１を用いてそれぞれを回転させることができる。
【００５０】
更に、本実施の形態では、図６に示すように、摘みカバー３２が固着されていないネジターミナル３０の摘み３１へ直接被装し、摘み３１を回転させることもできる。
【００５１】
摘み３１へ被装した状態では、摘み３１の上部外側面３１ａが上部内側面３Ｂ若しくは上部内側面３Ｂの上部係合突起４Ｃに係合し、回転補助具１の操作部５を回転させることにより、その下方の摘み３１が回転する（図２（ｃ）参照）。
【００５２】
このように、本実施の形態では、回転補助具１に更に異なる内径の上部内側面３Ｂ若しくは上部係合突起４Ｃを形成することにより、３種類の異なる外径の摘み２２、３１若しくは摘みカバー３２に同一の回転補助具１を用いることができ、特に、摘みカバー３２を固着するか否かにかかわらず、ネジターミナル３０の摘み３１を同一の回転補助具１を用いて回転させることができる。
【００５３】
尚、上述の回転補助具１と、摘み２２、３１及び摘みカバー３２との係合は、回転操作によるトルクを伝達させるための回転軸回りの係合であり、上下方向で係合するものではないので、摘み２２、３１を回転させた後は、回転補助具１を上方へ引き抜くことによりネジターミナル２０、３０から簡単に外すことができる。
【００５４】
上述の実施の形態で、同一の絶縁ハウジング（絶縁基板）１０に取り付けられた複数のネジターミナル２０、３０には、同一の摘み２２、３１が備えられているが、異なる外径の摘み２２、３１が混在して取り付けられている場合であっても、同一の回転補助具１を用いて回転させることができる。
【００５５】
また、回転補助具１の内側面に形成される係合部は、回転操作しようとする摘みの数とそれぞれの摘みの外径に合わせて任意に設定でき、また、係合凹部や係合凸部のように、内側面に形成する凹凸に限らず、回転軸回りの内周形状を非円形とした内側面自体を係合部とすることもできる。
【産業上の利用可能性】
【００５６】
同一絶縁基板に密集して取り付けられた複数のネジターミナルのいずれかの摘みを回転させるのに適している。
【図面の簡単な説明】
【００５７】
【図１】本発明の実施の形態に係る回転補助具１を示し、（ａ）は、上方からみた斜視図、（ｂ）は、下方からみた斜視図、（ｃ）は、底面図、（ｄ）は、係合凹部４Ａで切断した縦断面図、である。
【図２】（ａ）は、回転補助具１を摘み２２へ、（ｂ）は、回転補助具１を摘みカバー３２へ、（ｃ）は、回転補助具１を摘み３１へ、それぞれ被装した状態を示す縦断面図である。
【図３】共通する絶縁基板１０に取り付けられたネジターミナル２０の１個のネジターミナル２０について、回転補助具１を用いて摘み２２を回転させる状態を示す斜視図である。
【図４】図３の部分破断正面図である。
【図５】摘み３１に摘みカバー３２が固着されたネジターミナル３０について、回転補助具１を用いてネジターミナル３０の摘み３１を回転させる状態を示す部分破断正面図である。
【図６】回転補助具１を用いてネジターミナル３０の摘み３１を回転させる状態を示す斜視図である。
【図７】共通する絶縁基板１０に複数のネジターミナル２０が取り付けられた状態を示す斜視図である。
【図８】図７の部分破断正面図である。
【図９】摘み３１に摘みカバー３２が嵌合固着されたネジターミナル３０が共通する絶縁基板１０に複数取り付けられた状態を示す部分破断正面図である。
【符号の説明】
【００５８】
１          回転補助具
３Ａ        下部内側面（内側面）
３Ｂ        上部内側面（内側面）
４Ａ        係合凹部（係合部）
４Ｂ        下部係合突起（係合部）
４Ｃ        上部係合突起（係合部）
５          操作部
１０        絶縁ハウジング（絶縁基板）
２０        ネジターミナル
２２        摘み
３０        ネジターミナル
３１        摘み
３２        摘みカバー
【図１】
2005038775.tif 000003
【図２】
2005038775.tif 000004
【図３】
2005038775.tif 000005
【図４】
2005038775.tif 000006
【図５】
2005038775.tif 000007
【図６】
2005038775.tif 000008
【図７】
2005038775.tif 000009
【図８】
2005038775.tif 000010
【図９】
2005038775.tif 000011